(57)【要約】      （修正有）【課題】ペダルによる回転駆動と同時に駆動輪自体を蛇行運転させることで登坂性能を向上させる二輪の自転車を提供する。【解決手段】前部にハンドル４付きの舵取輪１を備え後部に駆動軸８を備えペダル６を踏む力を後輪に伝え回転駆動する二輪の自転車において、後輪に地面から縦方向に回転軸１３を設けた。これによりペダルを踏む力に応じて後輪が進行方向に対して左右に振れ蛇行運転をする。蛇行運転することで登坂時に坂の見かけの勾配を低減でき登坂性能を向上させることができる。【選択図】図１
2018158703.tif 000002
【特許請求の範囲】
【請求項１】
前部にハンドル付き舵取りの前輪を備え、後部に駆動軸を持つ後輪を備え、前輪と後輪を保持する車体フレームにはペダルとサドルを備え、ペダルを踏みこむ力で後輪の駆動軸を回転駆動するとともに、車体フレームに後輪用の地面から縦方向の回転機構を備えることで、後輪が左右に振れ蛇行運転することのできる二輪の自転車。
【発明の詳細な説明】
【技術分野】
【０００１】  本発明は二輪の自転車に関する。
【背景技術】
【０００２】  車輪の付いた乗り物を人力で駆動する方法には自転車のようにペダルを踏む力を駆動軸の回転する力にする方法とローラースケートのように車輪を進行方向に対して左右に振り蛇行運転しながら推進する方法（例えば特許文献１参照）などがある。【０００３】  前部にハンドル付き舵取りの前輪を備えた自転車で坂を上る時には前ハンドルを左右に振り蛇行運転することで見かけの勾配が低減され登坂性能を向上させる漕ぎ方がある。
【先行技術文献】
【特許文献】
【０００４】
【特許文献１】特開平１１−１７１０７７
【発明の概要】
【発明が解決しようとする課題】
【０００５】  前部にハンドル付き舵取りの前輪を備え、後部にペダル付きの駆動軸のある後輪を持つ二輪の自転車では、後輪は進行方向と平行に固定されているため、登坂時には前輪はハンドルを左右に振ることで蛇行運転し登坂性能を向上させることができるが、後輪は進行方向と平行に固定されているため、前輪に追従する形でしか蛇行運転できない。
【課題を解決するための手段】
【０００６】  本発明品は上記課題を解決するために、前部にハンドル付き舵取りの前輪を備え、後部にペダル付きの駆動軸を持つ二輪の自転車において、後輪に地面に対して縦方向の回転軸を持たせたのである。【０００７】  上記第１の課題解決手段による作用は次の通りである。ペダルを駆動すると後輪は進行方向に駆動回転すると共に、ペダルを踏む力により地面から縦方向の回転軸により後輪が左右に振れる。
【発明の効果】
【０００８】  上述したように本発明品は、後輪が回転駆動と同時にペダルを左右踏み込むのと同期して左右に振れることで蛇行運転する。蛇行運転することで登坂時の見かけの勾配を低減できるため、登坂性能が向上する。
【図面の簡単な説明】
【０００９】
【図１】本発明品の第１実施の形態の全体の側面図
【図２】同後輪の地面から縦方向の回転機構の平面図
【図３】同後輪の地面から縦方向の回転機構のバネ制動付き平面図
【図４】同後輪の地面から縦方向の回転機構が弾性素材で構成された平面図
【図５】同第２実施の形態の全体の側面図
【発明を実施するための形態】
【００１０】  以下、図面に基づき本発明の好適な実施形態を説明する。図１は本発明の第１の実施の形態を示している。
【００１１】  第１の実施形態の自転車は、前輪１の回転軸にフロントフォーク２が取り付けられており、前端のヘッドパイプ３にはハンドル４とフロントフォーク２が回転自在に装着してある。ハンドル４にはブレーキレバー５が２つあって、それぞれ前輪１と後輪９にワイヤーを介して接続してあり、ブレーキレバー２を引くことによってブレーキ装置を作動させて前輪１と後輪９の進行方向の回転を制動できるようにしてある。ヘッドパイプ３には前方車体フレーム１０ａが溶接等で取り付けてある。後方車体フレーム１０の上端にはサドル１１が固定されており、後端には後輪９、下端にはペダル６が装着されている。ペダル６と後輪９はチェーン７を介してペダル６の駆動力が後輪９の駆動軸８に伝わり推力となる。前方車体フレーム１０ａと後方車体フレーム１０の間には後輪の地面から縦方向の回転機構１２がある。後輪の地面から縦方向の回転機構１２で回転する回転軸１３は後輪の地面との接点１４の前方に位置し、そこから前方に傾斜した角度に設置する。
【００１２】    上記の後輪の地面から縦方向の回転機構１２の平面図を図２に示している。図２では後輪９に直結している後方車体フレーム１０が右と左にそれぞれ振れた場合の２つの状態を示している。後方車体フレーム１０と前方車体フレーム１０ａは後輪の地面から縦方向の回転機構１２に回転自由に取り付けられている。
【００１３】    ペダル６を踏んだ時の後輪９の左右の振れを制限したい場合には、図３に示すように後方車体フレーム１０と前方車体フレーム１０ａの間にバネ１８等の弾性素材を設置することで実現できる。図３では後輪９に直結している後方車体フレーム１０が右と左にそれぞれ振れた場合の２つの状態を示している。
【００１４】    ペダル６を踏んだ時の後輪９の左右の振れを完全に止めたい場合には図示はしていないが、後輪の地面から縦方向の回転機構１２にブレーキ装置およびブレーキレバーを装着することで、後輪９の左右の振れを必要に応じて制動できる。
【００１５】    図４は後輪の地面から縦方向の回転機構１２をゴム１９等の弾性素材で構成した平面図である。図４では後輪９に直結している後方車体フレーム１０が右と左にそれぞれ振れた場合の２つの状態を示している。
【００１６】  上記構成の動作を説明する。上記のようにして本発明の第１の実施の形態の自転車を形成することができるものであり、後輪の地面から縦方向の回転機構１２を図２、図３、図４いずれの構成をとった場合でもペダル６を踏み込む力で後輪９は左右に振れ、後輪９による蛇行運転が可能となる。
【００１７】  図５は本発明の第２の実施の形態の自転車の側面図を示すものである。
【００１８】  この第２の実施の形態の自転車は、前輪１の回転軸にフロントフォーク２が取り付けられており、前端のヘッドパイプ３にはハンドル４とフロントフォーク２が回転自在に装着してある。ハンドル４にはブレーキレバー５が２つあって、それぞれ前輪１と後輪９にワイヤーを介して接続してあり、ブレーキレバー５を引くことによってブレーキ装置を作動させて前輪１と後輪９の進行方向の回転を制動できるようにしてある。ヘッドパイプ３には前方車体フレーム１５が溶接等で取り付けてある。前方車体フレーム１５の後端にはサドル１１が固定されている。後方車体フレーム１６は前端にペダル６、後端に後輪９の駆動軸８が取り付けられており、ペダル６と後輪９はチェーン７を介してペダル６の駆動力が後輪９の駆動軸８に伝わり推力となる。前方車体フレーム１５と後方車体フレーム１６は中央車体フレーム１７でつながれている。前方車体フレーム１５と後方車体フレーム１６は鉄やアルミなどの硬質素材で構成されるが、中央車体フレーム１７は木材や竹、グラスファイバーなどの弾性素材で構成する。
【００１９】  上記構成の動作を説明する。ペダル６を踏み込んだときに中央車体フレーム１７はその弾性により歪み、後輪の地面との接点１４を中心として回転を生じる。これにより後輪９は左右に振れ蛇行運転することになる。
【符号の説明】
【００２０】    １  前輪
２  フロントフォーク
３  ヘッドパイプ
４  ハンドル
５  ブレーキレバー
６  ペダル
７  チェーン
８  駆動軸
９  後輪
１０  後方車体フレーム
１０ａ  前方車体フレーム
１１  サドル
１２  後輪の地面から縦方向の回転機構
１３  後輪の地面から縦方向の回転軸
１４  後輪の地面との接点
１５  前方車体フレーム
１６  後方車体フレーム
１７  中央車体フレーム
１８  バネ
１９  ゴム
【図１】
2018158703.tif 000003
【図２】
2018158703.tif 000004
【図３】
2018158703.tif 000005
【図４】
2018158703.tif 000006
【図５】
2018158703.tif 000007